(57)【要約】【課題】  カートリッジホルダのシャーシへの取り付けを容易となすとともに、機構の簡素化を図る。【解決手段】  シャーシ２に設けられ、断面が円形の一方の軸部３２と断面が楕円形の他方の軸部３３とからなる一対の軸部と、一方の軸部３２と係合する第１の係合孔２８と切欠部３７が連続して形成され他方の軸部３３と係合する第２の係合孔２９とを備え、シャーシ２に対して回動可能に取り付けられるカートリッジホルダ１と、カートリッジホルダ１の第２の係合孔２９が形成された側壁に設けられた規制部３６と、シャーシ２の側縁に形成され、規制部３６を係止する係止部３８とを備える。【選択図】  図１
2006099961.tif 000002
【特許請求の範囲】
【請求項１】
シャーシと、
上記シャーシに設けられ、断面が円形の一方の軸部と断面が楕円形の他方の軸部とからなる一対の軸部と、
上記一方の軸部と係合する第１の係合孔と切欠部が連続して形成され上記他方の軸部と係合する第２の係合孔とを備え、上記シャーシに対して回動可能に取り付けられるカートリッジホルダと、
上記カートリッジホルダの第２の係合孔が形成された側壁に設けられた規制部と、
上記シャーシの側縁に形成され、上記規制部を係止する係止部と
を備えることを特徴とするカートリッジホルダ装置。
【請求項２】
上記切欠部の幅は、上記楕円形をなす他方の軸部の短軸よりも広く、且つ上記楕円形段円形の他方の軸部の長軸より狭いことを特徴とする請求項１記載のカートリッジホルダ装置。
【請求項３】
上記係止部は、上記シャーシに形成された切欠部内に形成され、
さらに、上記切欠部の周壁に形成され、上記カートリッジホルダが上記シャーシから離間する方向に移動するとき、上記規制部と当接する突出部を備えることを特徴とする請求項１記載のカートリッジホルダ装置。
【請求項４】
上記突出部は、さらに、上記シャーシの内から外方に向かって下る傾斜部を備えることを特徴とする請求項１記載のカートリッジホルダ装置。
【請求項５】
さらに、上記シャーシに、上記カートリッジホルダに保持されたカートリッジに対し記録及び／又は再生を行う記録及び／又は再生手段を備え、
上記係止部は、上記記録及び／又は再生手段が配設される上記シャーシの上面よりも下方側に形成され、
上記規制部は、上記カートリッジホルダから下方に突出するとともに上記カートリッジホルダの主面と平行になるように形成され、上記カートリッジホルダが上記シャーシから離間する方向に移動するとき、上記係止部に係止されること特徴とする請求項１記載のカートリッジホルダ装置。
【発明の詳細な説明】
【技術分野】
【０００１】
本発明は、シャーシに対し回動自在に取り付けられたカートリッジホルダを有するカートリッジホルダ装置に関する。
【背景技術】
【０００２】
光ディスクあるいは光磁気ディスク等の情報信号が記録され又は記録されたディスクを回転可能に収納したディスクカートリッジを用いる記録及び／又は再生装置が提案されている。この記録及び／又は再生装置には、ディスクカートリッジを保持するカートリッジホルダが設けられている。このカートリッジホルダは、ディスクカートリッジの挿脱を可能となす位置と、このカートリッジホルダに保持されたディスクカートリッジに収納されたディスクに対し情報信号の記録及び／又は再生を行う記録及び／又は再生位置との間に亘って回動し得るようにシャーシに取り付けられる。
【０００３】
このカートリッジホルダをシャーシに対し回動可能に支持する回動機構１００は、例えば、図６に示すように、ディスク回転操作機構を構成するディスクテーブル１０４が取り付けられるシャーシ１０１と、ディスクカートリッジを保持するカートリッジホルダ１０２とから構成されるものが考えられている。カートリッジホルダ１０２は、ディスクカートリッジが装填される際には、シャーシ１０１に対して上方に回動された開状態となされ、ディスクカートリッジが挿入された後にシャーシ１０１に対して閉状態となる方向に回動される。
【０００４】
シャーシ１０１は、ディスクカートリッジの平面形状よりやや大きな矩形状に形成されており、その中央部には、ディスク回転操作機構を図示しないモータとともに構成し、このモータによって回転されるディスクテーブル１０４が配設されている。このシャーシ１０１の背面側の一方のコーナ部には、ホルダを回動自在に支持する支持片１０５が立ち上がり形成されている。この支持片１０５の一側面には、支軸１０６が突設されている。
【０００５】
カートリッジホルダ１０２は、ディスクカートリッジの平面と対向する天板部１０７と、この天板部１０７の相対向する両側に立ち上がり形成された一対の側壁１０８ａ、１０８ｂとを備え、これら天板部１０７と側壁１０８ａ、１０８ｂとによりカートリッジ収納部１０９を構成している。これら天板部１０７と側壁１０８ａ、１０８ｂは、カートリッジ収納部１０９内でディスクカートリッジの移動を規制している。このカートリッジホルダ１０２の側壁１０８ａ、１０８ｂの一端には支持片１１０ａ、１１０ｂが設けられている。これら支持片１１０ａ、１１０ｂには、軸挿通孔１１１ａ、１１１ｂが穿設されている。
【０００６】
シャーシ１０１の上述した支持片１０５と対向する背面側の他方のコーナ部には、支持部材１１２がビス１１３により固定されている。この支持部材１１２は、ビス穴１１４が穿設された取付け板１１５と、この取付け板１１５の一端から立ち上がり形成された支持板１１６と、この支持板１１６の一側面に突設された支軸１１７とを備える。このように構成された支持部材１１２は、先ず、支軸１１７が、カートリッジホルダ１０２の支持片１１０ｂの軸挿通孔１１１ｂに挿通され、その後シャーシ１０１に穿設されたビス穴１１８と、支持部材１１２のビス穴１１４にビス１１３がねじ込まれて固定される。
【０００７】
上述したカートリッジホルダの回動機構１００以外に、例えば図７に示すようなカートリッジホルダの回動機構１２０が提案されている。この回動機構１２０は、シャーシ１２１と、ディスクカートリッジを保持するカートリッジホルダ１２２とを備える。カートリッジホルダ１２２にディスクカートリッジを装填する際には、カートリッジホルダ１２２は、シャーシ１２１から離間する方向の上方に回動された状態にされ、ディスクカートリッジのカートリッジホルダ１２２への装填が終わった後、シャーシ１２１となる閉方向、すなわちカートリッジホルダ１２２がシャーシ１２１に近接する方向に回動される。
【０００８】
シャーシ１２１は、ディスクカートリッジの平面形状よりやや大きくなるように形成されており、その中央部には、ディスク回転操作機構を構成するディスクテーブル１２４が配設されている。また、シャーシ１２１には、背面側の両側にはカートリッジホルダ１２２を回動可能に支持する一対の支持片１２５ａ、１２５ｂが設けられている。これら支持片１２５ａ、１２５ｂの一側面には、支軸１２６ａ、１２６ｂが突設されている。一方の支軸１２６ａは、支持片１２５ａからシャーシ１２１の内方に向かって突設され、他方の支軸１２６ｂは、支持片１２６ｂのシャーシ１２１の外方に向かって突設されている。
【０００９】
カートリッジホルダ１２２は、ディスクカートリッジの平面と相対向する天板部１２７と、この天板部１２７の相対向する両側に立ち上がり形成された一対の側壁１２８ａ、１２８ｂとを備え、これら天板部１２７と側壁１２８ａ、１２８ｂとによりカートリッジ収納部１２９を構成している。これら天板部１２７と側壁１２８ａ、１２８ｂは、カートリッジ収納部１２９内でディスクカートリッジの移動を規制している。このカートリッジホルダ１２２の側壁１２８ａ、１２８ｂの一端には支持片１３０ａ、１３０ｂが設けられている。これら支持片１３０ａ、１３０ｂには、軸挿通孔１３１ａ、１３１ｂが穿設されている。
【００１０】
このように構成されたカートリッジホルダの回動機構１２０は、先ず、シャーシ１２１の支持片１２５ａ、１２５ｂに設けた支軸１２６ａ、１２６ｂが、カートリッジホルダ１２２の支持片１３０ａ、１３０ｂに設けた軸挿通孔１３１ａ、１３１ｂに挿通される。その後、一方の支軸１２６ｂの先端にワッシャ１３３が挿入されることにより、カートリッジホルダ１２２が一対の支持片１２５ａ、１２５ｂに回動可能に取り付けられる。
【発明の開示】
【発明が解決しようとする課題】
【００１１】
上述したカートリッジホルダの回動機構１００、１２０は、カートリッジホルダ１０２、１２２をシャーシ１０１、１２１に取り付ける場合に、別に取付け部材としての支持部材１１２、ワッシャ１３３を用いている。そのため、このカートリッジホルダの開閉機構１００、１２０は、組立てに時間を要し、生産効率を上げることができない。カートリッジホルダの回動機構１００、１２０は、カートリッジホルダ１０２、１２２の取付けに際し、別に支持部材１１２、ワッシャ１３３を用いることから、個々の部品のばらつきにより、安定したカートリッジホルダ１０２、１２２の取付けが困難であった。
【００１２】
本発明の目的は、上述したようなカートリッジホルダ装置が有している問題点を解決するカートリッジホルダ装置を提供することにある。
【課題を解決するための手段】
【００１３】
上述したような目的を達成するために提案される本発明に係るカートリッジホルダ装置は、シャーシと、上記シャーシに設けられ、断面が円形の一方の軸部と断面が楕円形の他方の軸部とからなる一対の軸部と、上記一方の軸部と係合する第１の係合孔と切欠部が連続して形成され上記他方の軸部と係合する第２の係合孔とを備え、上記シャーシに対して回動可能に取り付けられるカートリッジホルダと、上記カートリッジホルダの第２の係合孔が形成された側壁に設けられた規制部と、上記シャーシの側縁に形成され、上記規制部を係止する係止部とを備える。
【００１４】
本発明において、上記切欠部の幅は、上記楕円形をなす他方の軸部の短軸よりも広く、且つ上記楕円形段円形の他方の軸部の長軸より狭いことが望ましい。
【００１５】
また、上記係止部は、上記シャーシに形成された切欠部内に形成され、さらに、上記切欠部の周壁に形成され、上記カートリッジホルダが上記シャーシから離間する方向に移動するとき、上記規制部と当接する突出部を備える。
【００１６】
さらにまた、上記突出部は、さらに、上記シャーシの内から外方に向かって下る傾斜部を備える。
【００１７】
本発明は、さらに、上記シャーシに、上記カートリッジホルダに保持されたカートリッジに対し記録及び／又は再生を行う記録及び／又は再生手段を備え、上記係止部は、上記記録及び／又は再生手段が配設される上記シャーシの上面よりも下方側に形成され、上記規制部は、上記カートリッジホルダから下方に突出するとともに上記カートリッジホルダの主面と平行になるように形成され、上記カートリッジホルダが上記シャーシから離間する方向に移動するとき、上記係止部に係止される。
【発明の効果】
【００１８】
本発明に係るカートリッジホルダ装置は、カートリッジホルダに形成され、楕円形をなす他方の軸部の短軸よりも広く且つ楕円形の他方の軸部の長軸より狭い幅で切り欠かれた切欠部により一部が開放されてなる他方の軸部と係合する第２の係合孔と、カートリッジホルダの第２の係合孔が形成された側壁に設けられ、シャーシの係止部によって係止される規制部とを設けことにより、カートリッジホルダがシャーシから外れることを確実に防止することができる。
【００１９】
さらに、部品点数の削減が図られ、生産効率の向上及び生産コストの削減を図ることができる。そして、本発明は、部品点数の削減により、カートリッジホルダをシャーシに取り付ける際の基準となる部材が削減され、シャーシへのカートリッジホルダの取付け精度の向上を図ることができる
【発明を実施するための最良の形態】
【００２０】
以下、本発明に係るカートリッジホルダ装置を図面を参照して詳細に説明する。
【００２１】
以下の説明では、本発明をディスクカートリッジを用いる記録及び／又は再生装置のカートリッジホルダ装置に適用した例を挙げて説明する。
【００２２】
まず、本発明に係るカートリッジホルダ装置のカートリッジホルダ１に装填されるディスクカートリッジ５０を説明する。このディスクカートリッジ５０は、図１に示すように、カートリッジ本体５１とシャッタ５２を有する。カートリッジ本体５１には、光磁気ディスク等の光ディスクＤが回転可能収納される。このカートリッジ本体５１の下面側の中央部には、後述するディスクテーブルをカートリッジ本体５１内に進入させるための円形をなす図示しない第１の開口部が設けられている。また、カートリッジ本体５１の上面及び下面には、中央部近傍から一つの側面側に亘って後述するシャーシ上に設けられる光ピックアップ装置からの光ビームを光ディスクＤに照射するための図示しない第２の開口部及び第３の開口部が設けられている。これら第２及び第３の開口部は、シャッタ５２によって開閉される。シャッタ５２は、ステンレス等の金属材料を用いて断面コ字状となるように形成されている。シャッタ５２は、カートリッジ本体５１の一つの側面に沿って移動自在にこのカートリッジ本体５１に取り付けられている。シャッタ５２は、カートリッジ本体５１内に配された図示しないロック部材により、上述した第２及び第３の開口部を閉塞する位置にロックされている。このロック部材によるシャッタ５２のロックは、ディスクカートリッジ５０をホルダ１に挿入する際に後述するシャッタ開放部材によって開放される。カートリッジ本体５１のシャッタ５２が移動する側面には、後述するシャッタ開放部材が進入し、シャッタ５２を移動させるためのシャッタ開放溝５１ａがほぼカートリッジ本体５１の側面の全長に亘って形成されている。カートリッジ本体５１のシャッタ開放溝５１ａが形成された側面と平行な側面には、誤挿入防止溝５１ｂが形成されている。この誤挿入防止溝５１ｂは、シャッタ開放溝５１ａの長さよりも短く形成されている。その結果、ディスクカートリッジ５０が正規の挿入状態とは表裏を逆転された状態でカートリッジホルダ１に挿入されると、シャッタ開放部材が誤挿入防止溝５１ｂに進入し、ディスクカートリッジ５０がホルダ１内に所定量挿入されるとシャッタ開放部材が誤挿入防止溝５１ｂの内方端に当接し、それ以上のディスクカートリッジ５０のカートリッジホルダ１内への挿入が規制される。
【００２３】
このように形成されたディスクカートリッジ５０に収納される光ディスクＤは、光磁気ディスクのような記録可能ディスクや再生専用の光ディスクである。光ディスクＤは、例えば直径がほぼ６４ｍｍで、光ピックアップ装置からの光ビームが照射される部分の厚さが１．２ｍｍとなるように形成されている。また、光ディスクＤは、その中央部分に図示しないチャッキング用の金属プレートが取り付けられている。このチャッキング用の金属プレートは、ディスクテーブルに配されたマグネットによって吸引される。
【００２４】
上述したように構成されたディスクカートリッジ５０が挿入保持されるカートリッジホルダ１は、このカートリッジホルダ１に対しディスクカートリッジ５０の挿入及び排出が行われるシャーシ２より離間した上方位置と、カートリッジホルダ１に挿入保持されたディスクカートリッジ５０をシャーシ２の図示しない位置決め機構によって位置決めされてシャーシ２に近接する下方位置との間を回動されて移動する。このカートリッジホルダ１の上方位置と下方位置との間の回動操作は、記録及び／又は再生装置の蓋体の開閉動作に連動して行われる。
【００２５】
そして、カートリッジホルダ１は、図１に示すように、ディスクカートリッジ５０の平面形状よりもやや大きな略矩形状に形成されている。このカートリッジホルダ１は、ステンレス等の金属材料を用いて形成される。カートリッジホルダ１は、ディスクカートリッジ５０の平面と相対向する主面１５を有し、の主面１５の相対向する両側に主面１５に対しほぼ垂直となるように一対の側壁１６ａ、１６ｂが設けられている。これら側壁１６ａ、１６ｂの先端側には、主面１５と平行になるように一対の保持部１７ａ、１７ｂが形成されている。これら主面１５、側壁１６ａ、１６ｂ及び保持部１７ａ、１７ｂによってカートリッジホルダ１に挿入されたディスクカートリッジ５０の収納部１８内での移動が規制される。
【００２６】
カートリッジホルダ１の主面１５には、図１に示すように、複数の穴部１９が穿設されている。これら穴部１９は、カートリッジ本体１が記録及び／又は再生装置の装置本体を構成する外筐に取り付けられた際、装置に装填されたディスクカートリッジ５０が外筐に形成された窓部を介して目視できるようにするためとカートリッジホルダ１の軽量化を図るために形成されている。これら穴部１９は、光ディスクＤが光磁気ディスクである場合に外部磁界としての垂直磁界を印可するための磁気ヘッド等の種々の部品が取り付けられる取付け穴としても用いられる。
【００２７】
この主面１５の相対向する両側に形成された側壁１６ａ、１６ｂは、装填されるディスクカートリッジ５０の厚さよりやや大きな高さを有するように形成されている。一方の側壁１６ａには、シャッタ開放部材２１が取り付けられている。このシャッタ開放部材２１は、カートリッジホルダ１に挿入されるディスクカートリッジ５０のシャッタ５２を、カートリッジホルダ１にディスクカートリッジ５０が挿入される際に移動させ第２及び第３の開口部を開放させる。すなわち、シャッタ開放部材２１は、ディスクカートリッジ５０がカートリッジホルダ１内に挿入されると、シャッタ５２にシャッタ開放部材２１側の凸部２２が係合してディスクカートリッジ５０がさらにカートリッジホルダ１内に挿入されることでシャッタ５２を移動させ、ディスクカートリッジ５０の第２及び第３の開口部を開放する。このとき、シャッタ開放部材２１がディスクカートリッジ５０に設けられているロック部材を操作してロック部材によるシャッタ５２のロックが解除される。
【００２８】
カートリッジホルダ１の各側壁１６ａ、１６ｂには、それぞれ位置規制片２３ａ、２３ｂが主面１５と平行になるように設けられている。これら位置規制片２３ａ、２３ｂは、ディスクカートリッジ５０の側面に形成された溝５１ａ、５１ｂにディスクカートリッジ５０がホルダ１に挿入される際に係合される。ディスクカートリッジ５０の溝５１ａ、５１ｂと位置規制片２３ａ、２３ｂとが係合することによってディスクカートリッジ５０のホルダ１のカートリッジ収納部１８への挿入時の位置規制すると共に、収納部１８に収納されたディスクカートリッジ５０の位置を規制する。
【００２９】
このように構成されたカートリッジホルダ１は、回動機構２５によってシャーシ２に回動自在に取り付けられる。すなわち、回動機構２５は、カートリッジホルダ１の側壁１６ａ、１６ｂの一端に形成された突出片２６、２７と、一方の突出片２６に穿設された第１の穴部２８と、他方の突出２７に穿設された第２の穴部２９と、シャーシ２の一側縁に半円弧状に立ち上がり形成された支持片３０、３１と、各支持片３０、３１より突出するように形成された軸部３２、３３とを備えている。突出片２６、２７は、各側壁１６ａ、１６ｂよりディスクカートリッジ５０の挿入方向に沿って天板部１５よりも突出し、且つ互いに平行となるように形成されている。一方の突出片２６ａの略中央には、第１の穴部２８が穿設され、他方の突出片２７には、略中央領域に第２の穴部２９が穿設されている。この突出片２７は、水平方向にその一部が切り欠かれ開放された切欠部３４が設けられる。第２の穴部２９は、切欠部３４と連通している。この切欠部３４の幅は、後述する第２の軸部３３の短軸方向の寸法より大きく、且つ第２の軸部３３の長軸よりも狭い幅である。
【００３０】
シャーシ２に設けた支持片３０、３１には、第１及び第２の係合孔となる第１及び第２の穴部２８、２９にそれぞれ係合される第１及び第２の軸部３２、３３が形成されている。第１の軸部３２は、その横断面が円形形状となるように形成されている。第１の軸部３２は、カートリッジホルダ１の第１の穴部２８の径よりやや小さい径を有するように形成されている。一方、支持片３１に形成される第２の軸部３３は、その断面形状が楕円状をなすように形成されている。この第２の軸部３３は、その断面の楕円形状の短軸方向の幅がカートリッジホルダ１の第２の穴部２９の切欠部３４の開口幅とほぼ等しく形成され、長軸方向の幅がこの切欠部３４の幅よりやや大きく形成されると共に第２の穴部２９の直径よりやや小さく形成されている。この第２の軸部３３は、その長軸がシャーシ２に配されたディスクテーブルの光ディスクＤの受け面に対して垂直となるように配設されている。
【００３１】
カートリッジホルダ１には、他方の側壁１６ｂに形成した突出片２７から下方に向かって突出する弾性片３５が形成されている。この弾性片３５は、側壁１６ｂと同一平面を構成するように形成され、全体として略「く」字状に形成されている。弾性片３５はホルダ１の幅方向、すなわちディスクカートリッジ５０の挿入方向と直交する方向に弾性変位する。弾性片３５は、図４R>４中矢印Ｘ方向に弾性変位する。この弾性片３５は、図１R>１及び図４に示すように、その端部にカートリッジホルダ１の主面１５と平行に規制部３６が形成されている。この規制部３６は、他方の側壁１６ｂより下方に突出するように形成されている。この規制部３６は、後述するシャーシ２の側縁に形成される係止部３８に係止される。
【００３２】
一方、シャーシ２には、例えば図２に示すように、支持片３１が形成されている側面部分に切欠部３７がシャーシ２の厚さ方向に貫通して形成されている。この切欠部３７に、カートリッジホルダ１がシャーシ２に取り付けられる際に、弾性片３５が進入する。
【００３３】
切欠部３７には、シャーシ２のディスクテーブル１１が配設される上面と連続して係止部３８か突出するように形成されている。この係止部３８には、カートリッジホルダ１の弾性片３５の規制部３６が係止される。この切欠部３７は、その下側の面が支持片３１側に向かって下るような斜面３９が形成されている。係止部３８とシャーシ２のディスクテーブル１１が配設されない面側、すなわち底面との間にはクリアランス４０が設けられている。これら斜面３９及びクリアランス４０は、カートリッジホルダ１が上述した下方位置に向かって回動されて、係止部３８に弾性片３５の規制部３６が係止されてカートリッジホルダ１がシャーシ２に取り付けられた後のカートリッジホルダ１のシャーシ２に対する回動量、すなわち回動角度を規制している。
【００３４】
係止部３８の斜面３９が形成されない側、すなわちシャーシ２のディスクテーブル１１が配設される側の端部に傾斜部４１が外方に向かって下るように形成されている。この傾斜部４１は、カートリッジホルダ１がシャーシ２に取り付けられる際に、弾性片３５が図４R>４中矢印Ｘ方向に弾性変位しやすくしている。切欠部３７には、係止部３８の端部３８ａと相対向する周壁に突出部４２が形成されている。突出部４２は、切欠部３７の内方に向かって膨出する円弧面状に形成されている。この突出部４２は、カートリッジホルダ１がシャーシ２に取り付けられた後、カートリッジホルダ１が上方位置に向かって回動された際に斜面３９及びクリアランス４０と共に規制部３６が斜面３９又は突出部４２と当接することによってカートリッジホルダ１の回動量、すなわち回動角を規制している。
【００３５】
上述したように回動機構２５によって回動自在にカートリッジホルダ１が取り付けられるシャーシ２は、ディスクカートリッジ５０の平面形状より大きな矩形状に形成されている。このシャーシ２には、上面の中央領域に図示しないモータによって回転駆動されるディスクテーブル１１が配設されている。このディスクテーブル１１の内部には、ディスクカートリッジ５０に収納した光ディスクＤの中央領域に取り付けられた金属プレートを磁気吸引するためのマグネットが配設されている。このディスクテーブル１１の中央には、凸状に形成されたセンタリング部１２が設けられている。したがって、カートリッジホルダ１に挿入されたディスクカートリッジ５０は、光ディスクＤの中心孔にセンタリング部１２が係合することによって光ディスクＤのセンタリングが行われると共に、ディスクテーブル１１に配設されたマグネットによって光ディスクＤの金属プレートが吸引され光ディスクＤがディスクテーブル１１によってチャッキングされる。その後、図示しないモータによってディスクテーブル１１が回転されることによって光ディスクＤが回転される。
【００３６】
シャーシ２には、ディスクテーブル１１に隣り合って光学ピックアップ用開口部１３が開口されている。この光学ピックアップ用開口部１３は、図示しない光学ピックアップ装置をシャーシ２の外方に臨ませる。この光学ピックアップ装置は、カートリッジホルダ１に装填されたディスクカートリッジ５０の光ディスクＤの信号記録面にレーザ光を照射することで、光ディスクＤに記録された音声信号等の情報信号を読み取る。したがって、この光学ピックアップ用開口部１３は、ディスクカートリッジ５０の第２及び第３の開口部よりやや大きく且つ光学ピックアップ装置が上述した第２及び第３の開口部より臨まされた光ディスクＤの信号記録領域の全領域に亘ってレーザ光が照射するために光学ピックアップ装置の移動領域に対応して形成されている。
【００３７】
なお、シャーシ２の上面側には、図示しないディスクカートリッジ５０の位置決め機構を有する。この位置決め機構によってカートリッジホルダ１が下方位置に回動操作された際に、カートリッジホルダ１に保持されているディスクカートリッジ５０のシャーシ２に対する位置決めが行われる。
【００３８】
このように構成されたカートリッジホルダ１は、シャーシ２に次のようにして取り付けられる。このカートリッジホルダ１は、図３に示すように、シャーシ２に対し垂直となる状態に位置される。カートリッジホルダ１がシャーシ２に対して垂直となる状態は、図３に示すように、カートリッジホルダ１をシャーシ２に取り付けた後にカートリッジホルダ１が上述した上方位置と下方位置の間の正規の回動領域、すなわち正規の回動角度よりも外れた状態である。
【００３９】
そして、シャーシ２の支持片３０に設けられた第１の軸部３２にカートリッジホルダ１の突出片２６に穿設された第１の穴部２８が係合される。次に、カートリッジホルダ１は、その突出片２７に穿設された第２の穴部２９にシャーシ２の支持片３１の第２の軸部３３がシャーシ２に対して垂直方向より切欠部３４を介して係合される。第２の穴部２９には設けられた切欠部３４の開口幅は、断面楕円形に形成された第２の軸部３３の短軸方向の径と略等しく形成されている。したがって、カートリッジホルダ１は、シャーシ２に対して垂直方向からのみ取り付けることができる。
【００４０】
カートリッジホルダ１は、第１及び第２の穴部２８、２９にシャーシ２の第１及び第２の軸部３２、３３がそれぞれ係合された後、カートリッジホルダ１の閉方向、すなわち、図５中矢印Ａ方向に回動操作される。カートリッジホルダ１が閉方向に回動操作されると、弾性片３５の規制部３６がシャーシ２側の係止部３８と当接する。この際、弾性片３５は、係止部３８の外方側に形成されている傾斜部４１によって、図４中矢印Ｘ方向、この場合図４中の右方向に向かって弾性変位し、さらなるカートリッジホルダ１の回動によって弾性片３５が図４中矢印Ｘ方向、この場合図４中の左方向に向かって弾性復帰する。その結果、規制部３６は、係止部３８を乗り越えて、図４に示すように、係止部３８の下側に位置する。規制部３６が、図４に示すように、係止部３８の下側に位置する状態となると、規制部３６が弾性変位部３５にほぼ直角に形成されていること及び係止部３８の断面がほぼ直角となるように形成されているため、規制部３６が再び係止部３８を乗り越えて弾性片３５と係止部３８との係合状態が解除されにくくなるこのように、弾性片３５が係止部３８と係合された状態までホルダ１が回動されると、ホルダ１のシャーシ２に対する取付け作業が完了する。
【００４１】
このようにして取り付けられたカートリッジホルダ１は、図３に示すように、図３中矢印Ｂ方向に回動操作されることにより上方位置に移動され、図３中矢印Ａ方向に回動操作されることにより下方位置に移動される。このカートリッジホルダ１は、図５に示すように、ホルダ１が上方位置にある開状態において、ディスクカートリッジ５０が図５中矢印Ｃ方向から挿入される。カートリッジホルダ１は、図５中矢印Ｂ方向に回動操作されると弾性片３５の規制部３６がシャーシ２側の切欠部３７の係止部３８に係止される。したがって、カートリッジホルダ１は、弾性片３５の規制部３６が係止部３８に係止されるまでの範囲が正規の回動領域となり、規制部３６と係止部３８の斜面３９とが係止されるまで回動される。カートリッジホルダ１は、この係止部３８の他に切欠部３７の突出部４２によっても、所定の位置で係止部３８が突き当たることで回動方向が規制される。カートリッジホルダ１には、上述したようにホルダ１の取付けのために突出片２７に切欠部３４が設けられている。しかしながら、カートリッジホルダ１は、シャーシ２の断面楕円形状に形成された第２の軸部３３の長軸方向の幅が切欠部３４の開口幅より大きく形成されているので、ホルダ１が図５中矢印Ａ方向又は矢印Ｂ方向に回動操作される際に軸部３３より外れることはない。なぜならば、カートリッジホルダ１は、弾性片３５の規制部３６と係止部３８とが係止することによってホルダ１の回動範囲が規制されているためである。カートリッジホルダ１は、図３に示すように、シャーシ２からの取り外しが可能となるシャーシ２に対し垂直となる状態まで回動することができないため、シャーシ２から外れることがない。
【００４２】
図５に示すように、カートリッジホルダ１が図５中矢印Ｂ方向に回動操作された状態でディスクカートリッジ５０が図５中矢印Ｃ方向より挿入され、ホルダ１内の正規の位置まで挿入されると、ホルダ１は図５中矢印Ａ方向に回動操作される。カートリッジホルダ１が図５中矢印Ａ方向に回動されてシャーシ２に近接する下方位置まで移動されると、ホルダ１に保持されているディスクカートリッジ５０は、シャーシ２に設けられている図示しない位置決め機構によって位置決めされる。同時に、ディスクカートリッジ５０内の光ディスクＤは、光ディスクＤの中心孔がセンタリング部１２によってセンタリングされて、ディスクテーブル１１上にチャッキングされる。
【００４３】
カートリッジホルダ１からディスクカートリッジ５０を取り出すためには、再びホルダ１を図５中矢印Ｂ方向に回動させればよい。
【００４４】
このように構成されたディスクカートリッジのホルダ装置によれば、図６及び図７に示したホルダの回動機構に比べて部品点数を削減することができ、組立て時間を削減し、生産効率の向上を図ることができる。カートリッジホルダ１の回動機構２５は、部品点数が少ない分だけ組立て後の全体の誤差が少なくなるので、シャーシ２に対してカートリッジホルダ１を正確に取り付けることができる。
【００４５】
カートリッジホルダとしては、ディスクカートリッジに限らず、磁気テープ等のテープを収納したテープカートリッジを保持するホルダの回動機構又は装置にも適用することができる。
【図面の簡単な説明】
【００４６】
【図１】本発明を構成するカートリッジホルダの回動機構を示す分解斜視図である。
【図２】本発明を構成するシャーシの要部拡大斜視図である
【図３】本発明を構成するカートリッジホルダの取付け状態を示す要部側面図である。
【図４】係止部と弾性片との係合状態を示す要部断面図である。
【図５】本発明を構成するカートリッジホルダの回動動作を説明するための図である。
【図６】本発明の前提となるカートリッジホルダの回動機構の一例を示す分解斜視図である。
【図７】本発明の前提となるカートリッジホルダの回動機構の他の例を示す分解斜視図である。
【符号の説明】
【００４７】
１  カートリッジホルダ、  ２  シャーシ、  １５  カートリッジホルダの主面、  １６ａ、１６ｂ  側壁、  １７ａ、１７ｂ  保持部、  １８  収納部、  ２１  シャッタ開放部材、  ２５  回動機構、  ２６、２７  突出片、  ２８  第１の穴部、  ２９  第２の穴部、３０，３１  支持片、  ３２  第１の軸部、  ３３  第２の軸部、  ３４  切欠部、  ３５  弾性片、  ３６  規制部、  ３７  切欠部、  ３８  係止部、  ３９  斜面、  ４０  クリアランス、  ４１  傾斜部、  ４２  突出部、  ５０  ディスクカートリッジ
【図１】
2006099961.tif 000003
【図２】
2006099961.tif 000004
【図３】
2006099961.tif 000005
【図４】
2006099961.tif 000006
【図５】
2006099961.tif 000007
【図６】
2006099961.tif 000008
【図７】
2006099961.tif 000009